(57)【要約】      （修正有）【課題】特色により表現される画像データを含むカラー画像データをプロセスカラーでシミュレートする際に、高速にシミュレートする。【解決手段】中間データ生成部２２は、受付手段２１により受け付けられたカラー画像データに基づいて、各画像データの色情報を含む中間データを生成する。この中間データから、特色画像データ抽出部２３により特色画像データを抽出し、抽出された特色画像データの色情報を、色情報変換部２４によってプロセスカラーにより表現される色情報に変換する。透過率情報付加部２５は、変換された特色画像データの色情報に対して透過率情報を付加する。描画処理部２８は、重なり判定部２７により背面画像データが存在すると判定された特色画像データの透過率情報及び色情報と、背面画像データの色情報とに基づいて、双方の画像データの色を足し合わせるように描画処理を行う。【選択図】図４
2015026933.tif 000002
【特許請求の範囲】
【請求項１】
プロセスカラーにより表現される画像データであるプロセス画像データと、プロセスカラーとは異なる色である特色により表現される画像データである特色画像データとにより構成されるカラー画像データを受け付ける受付手段と、
前記受付手段により受け付けられたカラー画像データに基づいて、各画像データの色を示す色情報を含む中間データを生成する中間データ生成手段と、
前記中間データ生成手段により生成された中間データから、特色画像データを抽出する抽出手段と、
前記抽出手段により抽出された特色画像データの色情報を、プロセスカラーにより表現される色情報に変換する変換手段と、
背面の画像データの色に対する色の割合を示す透過率情報を、前記変換手段により変換された特色画像データの色情報に対して付加する付加手段と、
前記中間データ生成手段により生成された中間データにおいて、各画像データ毎に、背面に重なり合う他の画像データである背面画像データが存在するか否かを判定する判定手段と、
前記中間データ、前記変換手段により変換された特色画像データの色情報及び前記付加手段により付加された透過率情報に基づいて描画処理を行う描画処理手段とを有し、
前記描画処理手段は、前記判定手段により背面画像データが存在すると判定された画像データが特色画像データである場合には、前記付加手段により付加された透過率情報と、前記変換手段により変換された当該特色画像データの色情報と、背面画像データの色情報とに基づいて、当該特色画像データの色と、当該特色画像データの背面画像データの色とを足し合わせるように描画処理を行う画像処理装置。
【請求項２】
前記透過率情報は、前面に重なり合う他の画像データである前面画像データに対する色の割合を示す情報をさらに含む請求項１記載の画像処理装置。
【請求項３】
前記描画処理手段は、前記判定手段により背面画像データが存在すると判定された画像データの描画処理を行う場合に、当該画像データと背面画像データとを含む領域に対して、１画素毎に描画処理を行う請求項１または２記載の画像処理装置。
【請求項４】
前記中間データは、前記カラー画像データにおける各画像データの形状により決定される領域を示す形状情報をさらに含み、
前記変換手段は、前記特色画像データの色情報が、前記形状情報により示される領域において均一な色を示す場合には、当該特色画像データの色情報を前記均一な色がプロセスカラーにより表現されるように変換し、前記特色画像データの色情報が前記形状情報により示される領域において複数の色を示す場合には、当該特色画像データの色情報を、当該特色画像データの形状情報により示される領域内において１画素毎にプロセスカラーにより表現されるように変換する請求項１から３いずれか１項記載の画像処理装置。
【請求項５】
プロセスカラーにより表現される画像データであるプロセス画像データと、プロセスカラーとは異なる色である特色により表現される画像データである特色画像データとにより構成されるカラー画像データを受け付ける受付手段と、
前記受付手段により受け付けられたカラー画像データに基づいて、各画像データの色を示す色情報を含む中間データを生成する中間データ生成手段と、
前記中間データ生成手段により生成された中間データから、特色画像データを抽出する抽出手段と、
前記抽出手段により抽出された特色画像データの色情報を、プロセスカラーにより表現される色情報に変換する変換手段と、
背面の画像データの色に対する色の割合を示す透過率情報を、前記変換手段により変換された特色画像データの色情報に対して付加する付加手段と、
前記中間データ生成手段により生成された中間データにおいて、各画像データ毎に、背面に重なり合う他の画像データである背面画像データが存在するか否かを判定する判定手段と、
前記中間データ、前記変換手段により変換された特色画像データの色情報及び前記付加手段により付加された透過率情報に基づいて描画処理を行う描画処理手段と、
前記描画処理手段により描画処理が行われた画像を出力する出力手段とを有し、
前記描画処理手段は、前記判定手段により背面画像データが存在すると判定された画像データが特色画像データである場合には、前記付加手段により付加された透過率情報と、前記変換手段により変換された当該特色画像データの色情報と、背面画像データの色情報とに基づいて、当該特色画像データの色と、当該特色画像データの背面画像データの色とを足し合わせるように描画処理を行う画像形成装置。
【請求項６】
プロセスカラーにより表現される画像データであるプロセス画像データと、プロセスカラーとは異なる色である特色により表現される画像データである特色画像データとにより構成されるカラー画像データを受け付けるステップと、
受け付けられたカラー画像データに基づいて、各画像データの色を示す色情報を含む中間データを生成するステップと、
生成された中間データから、特色画像データを抽出するステップと、
抽出された特色画像データの色情報を、プロセスカラーにより表現される色情報に変換するステップと、
背面の画像データの色に対する色の割合を示す透過率情報を、変換された特色画像データの色情報に対して付加するステップと、
生成された中間データにおいて、各画像データ毎に、背面に重なり合う他の画像データである背面画像データが存在するか否かを判定するステップと、
背面画像データが存在すると判定された画像データが特色画像データである場合には、付加された透過率情報と、変換された当該特色画像データの色情報と、背面画像データの色情報とに基づいて、当該特色画像データの色と、当該特色画像データの背面画像データの色とを足し合わせるように描画処理を行うステップと、
をコンピュータに実行させるためのプログラム。
【発明の詳細な説明】
【技術分野】
【０００１】
本発明は、画像処理装置、画像形成装置及びプログラムに関する。
【背景技術】
【０００２】
特許文献１には、特色を含む画像データにおいて、プロセスカラー各色のラスタデータと、特色のラスタデータとをそれぞれ生成して、特色のラスタデータをプロセスカラー各色のラスタデータに合成し、合成されたプロセスカラー各色のラスタライズデータを合成することにより、特色を含む画像データをプロセスカラーにより再現することが開示されている。
【０００３】
特許文献２には、プロセスカラー画像データに対して特色画像データが追加された画像データのプルーフ画像を作成する場合に、特色画像の色を表現する特色インクの光透過性をパラメータとして含む統合定義を用いることが開示されている。
【先行技術文献】
【特許文献】
【０００４】
【特許文献１】特開２００４−１４８５３５号公報
【特許文献２】特開２００２−２２３３６３号公報
【発明の開示】
【発明が解決しようとする課題】
【０００５】
本発明の目的は、特色により表現される画像データを含むカラー画像データをプロセスカラーでシミュレートする際に、本発明の構成を有さない場合と比較して、高速にシミュレートすることが可能な画像処理装置、画像形成装置及びプログラムを提供することである。
【課題を解決するための手段】
【０００６】
請求項１に係る本発明は、プロセスカラーにより表現される画像データであるプロセス画像データと、プロセスカラーとは異なる色である特色により表現される画像データである特色画像データとにより構成されるカラー画像データを受け付ける受付手段と、
前記受付手段により受け付けられたカラー画像データに基づいて、各画像データの色を示す色情報を含む中間データを生成する中間データ生成手段と、
前記中間データ生成手段により生成された中間データから、特色画像データを抽出する抽出手段と、
前記抽出手段により抽出された特色画像データの色情報を、プロセスカラーにより表現される色情報に変換する変換手段と、
背面の画像データの色に対する色の割合を示す透過率情報を、前記変換手段により変換された特色画像データの色情報に対して付加する付加手段と、
前記中間データ生成手段により生成された中間データにおいて、各画像データ毎に、背面に重なり合う他の画像データである背面画像データが存在するか否かを判定する判定手段と、
前記中間データ、前記変換手段により変換された特色画像データの色情報及び前記付加手段により付加された透過率情報に基づいて描画処理を行う描画処理手段とを有し、
前記描画処理手段は、前記判定手段により背面画像データが存在すると判定された画像データが特色画像データである場合には、前記付加手段により付加された透過率情報と、前記変換手段により変換された当該特色画像データの色情報と、背面画像データの色情報とに基づいて、当該特色画像データの色と、当該特色画像データの背面画像データの色とを足し合わせるように描画処理を行う画像処理装置である。
【０００７】
請求項２に係る本発明は、前記透過率情報が、前面に重なり合う他の画像データである前面画像データに対する色の割合を示す情報をさらに含む請求項１記載の画像処理装置である。
【０００８】
請求項３に係る本発明は、前記描画処理手段が、前記判定手段により背面画像データが存在すると判定された画像データの描画処理を行う場合に、当該画像データと背面画像データとを含む領域に対して、１画素毎に描画処理を行う請求項１または２記載の画像処理装置である。
【０００９】
請求項４に係る本発明は、前記中間データが、前記カラー画像データにおける各画像データの形状により決定される領域を示す形状情報をさらに含み、
前記変換手段は、前記特色画像データの色情報が、前記形状情報により示される領域において均一な色を示す場合には、当該特色画像データの色情報を前記均一な色がプロセスカラーにより表現されるように変換し、前記特色画像データの色情報が前記形状情報により示される領域において複数の色を示す場合には、当該特色画像データの色情報を、当該特色画像データの形状情報により示される領域内において１画素毎にプロセスカラーにより表現されるように変換する請求項１から３いずれか１項記載の画像処理装置である。
【００１０】
請求項５に係る本発明は、プロセスカラーにより表現される画像データであるプロセス画像データと、プロセスカラーとは異なる色である特色により表現される画像データである特色画像データとにより構成されるカラー画像データを受け付ける受付手段と、
前記受付手段により受け付けられたカラー画像データに基づいて、各画像データの色を示す色情報を含む中間データを生成する中間データ生成手段と、
前記中間データ生成手段により生成された中間データから、特色画像データを抽出する抽出手段と、
前記抽出手段により抽出された特色画像データの色情報を、プロセスカラーにより表現される色情報に変換する変換手段と、
背面の画像データの色に対する色の割合を示す透過率情報を、前記変換手段により変換された特色画像データの色情報に対して付加する付加手段と、
前記中間データ生成手段により生成された中間データにおいて、各画像データ毎に、背面に重なり合う他の画像データである背面画像データが存在するか否かを判定する判定手段と、
前記中間データ、前記変換手段により変換された特色画像データの色情報及び前記付加手段により付加された透過率情報に基づいて描画処理を行う描画処理手段と、
前記描画処理手段により描画処理が行われた画像を出力する出力手段とを有し、
前記描画処理手段は、前記判定手段により背面画像データが存在すると判定された画像データが特色画像データである場合には、前記付加手段により付加された透過率情報と、前記変換手段により変換された当該特色画像データの色情報と、背面画像データの色情報とに基づいて、当該特色画像データの色と、当該特色画像データの背面画像データの色とを足し合わせるように描画処理を行う画像形成装置である。
【００１１】
請求項６に係る本発明は、プロセスカラーにより表現される画像データであるプロセス画像データと、プロセスカラーとは異なる色である特色により表現される画像データである特色画像データとにより構成されるカラー画像データを受け付けるステップと、
受け付けられたカラー画像データに基づいて、各画像データの色を示す色情報を含む中間データを生成するステップと、
生成された中間データから、特色画像データを抽出するステップと、
抽出された特色画像データの色情報を、プロセスカラーにより表現される色情報に変換するステップと、
背面の画像データの色に対する色の割合を示す透過率情報を、変換された特色画像データの色情報に対して付加するステップと、
生成された中間データにおいて、各画像データ毎に、背面に重なり合う他の画像データである背面画像データが存在するか否かを判定するステップと、
背面画像データが存在すると判定された画像データが特色画像データである場合には、付加された透過率情報と、変換された当該特色画像データの色情報と、背面画像データの色情報とに基づいて、当該特色画像データの色と、当該特色画像データの背面画像データの色とを足し合わせるように描画処理を行うステップと、
をコンピュータに実行させるためのプログラムである。
【発明の効果】
【００１２】
請求項１に係る本発明によれば、特色により表現される画像データを含むカラー画像データをプロセスカラーでシミュレートする際に、本発明の構成を有さない場合と比較して、高速にシミュレートすることが可能な画像処理装置を提供することができる。
【００１３】
請求項２に係る本発明によれば、請求項１に係る発明の効果に加えて、背面画像データとして特色画像データが重なっている場合のシミュレートを行うことが可能な画像処理装置を提供することができる。
【００１４】
請求項３に係る本発明によれば、請求項１または２に係る発明の効果に加えて、重なり合う画像データ毎に描画処理を行うことが可能な画像処理装置を提供することができる。
【００１５】
請求項４に係る本発明によれば、請求項１から３のいずれか１項記載の発明の効果に加えて、均一な色により構成される特色画像データの色を、本発明の構成を有さない場合と比較して、高速にシミュレートすることが可能な画像処理装置を提供することができる。
【００１６】
請求項５に係る本発明によれば、特色により表現される画像データを含むカラー画像データをプロセスカラーでシミュレートする際に、本発明の構成を有さない場合と比較して、高速にシミュレートすることが可能な画像形成装置を提供することができる。
【００１７】
請求項６に係る本発明によれば、特色により表現される画像データを含むカラー画像データをプロセスカラーでシミュレートする際に、本発明の構成を有さない場合と比較して、高速にシミュレートすることが可能なプログラムを提供することができる。
【図面の簡単な説明】
【００１８】
【図１】本発明の一実施形態における画像形成システムを示す図である。
【図２】オーバープリントの具体的な方法について説明する図である。
【図３】本発明の一実施形態における画像処理装置２のハードウェア構成を示すブロック図である。
【図４】本発明の一実施形態における画像処理装置２の機能構成を示すブロック図である。
【図５】本発明の一実施形態における色情報及び透過率情報の一例を示す図である。
【図６】本発明の一実施形態における画像形成システムの全体的な処理を示すフローチャートである。
【図７】本発明の一実施形態におけるカラー画像データのシミュレート処理を示すフローチャートである。
【図８】本発明の一実施形態における描画・出力の処理を示すフローチャートである。
【図９】本発明の一実施形態におけるカラー画像データの一例である。
【図１０】本発明の一実施形態におけるカラー画像データに含まれる各画像データの色情報及び透過率情報の一例である。
【図１１】本発明の一実施形態における各画像の重なり合う領域の色を示す一例である。
【発明を実施するための最良の形態】
【００１９】
次に、本発明の実施の形態について図面を参照して詳細に説明する。
【００２０】
図１は、本発明の一実施形態の画像形成システムを示す図である。
【００２１】
図１に示すように、本実施形態における画像形成システムは、カラー画像データを作成する端末装置１と、カラー画像データのシミュレーションを行うプリントサーバ等の画像処理装置２と、プロセスカラーであるＣ（シアン）、Ｍ（マゼンタ）、Ｙ（イエロー）、Ｋ（ブラック）のインクに加えてプロセスカラーとは異なる色である特色インクを有する画像形成装置３がネットワーク４を介して互いに接続されている。
【００２２】
端末装置１は、画像形成装置３によりオーバープリントを行うためのカラー画像データを作成する。また、端末装置１により作成されたカラー画像データは、プロセスカラーにより表現される画像データであるプロセス画像データと、画像形成装置３が有する特色インクにより表現される画像データである特色画像データとを含む。
【００２３】
画像処理装置２は、端末装置１において作成されたカラー画像データをプロセスカラーのみを用いて図示しない表示装置や用紙に出力することにより、カラー画像データをプロセスカラーでシミュレートする。
【００２４】
画像形成装置３は、端末装置１において作成されたカラー画像データを用紙に出力する。
【００２５】
なお、オーバープリントとは、図２に示すように、例えば、背面画像１０１に対して前面画像１０２を重ねて用紙に出力する印刷方法である。そして、前面画像１０２が光透過性を有さないインクを用いる場合、図２（Ａ）に示すように、用紙に出力された画像において、背面画像１０１の前面画像１０２と重なる領域は、前面画像１０２の色によって打ち消される。一方、前面画像１０２が光透過性を有するインクを用いる場合、図２（Ｂ）に示すように、用紙に出力された画像において、背面画像１０１と前面画像１０２とが重なる領域は、前面画像１０２の特色の光透過性に応じて、背面画像１０１の色と前面画像１０２の色とが掛け合わされた色となる。
【００２６】
次に、本実施形態における画像処理装置２のハードウェア構成について図３を参照して説明する。
【００２７】
画像処理装置２は、図３に示されるように、ＣＰＵ１１、メモリ１２、ハードディスクドライブ（ＨＤＤ）等の記憶装置１３、ネットワーク４を介して外部の装置等との間でデータの送信及び受信を行う通信インタフェース（ＩＦ）１４、タッチパネル又は液晶ディスプレイを含むユーザインタフェース（ＵＩ）装置１５を有する。これらの構成要素は、制御バス１６を介して互いに接続されている。
【００２８】
ＣＰＵ１１は、メモリ１２または記憶装置１３に格納された制御プログラムに基づいて所定の処理を実行して、画像処理装置２の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２９】
図４は、上記の制御プログラムが実行されることにより実現される画像処理装置２の機能構成を示すブロック図である。
【００３０】
画像処理装置２は、図４に示されるように、受付部２１と、中間データ生成部２２と、特色画像データ抽出部２３と、色情報変換部２４と、透過率情報付加部２５と、記憶部２６と、重なり判定部２７と、描画処理部２８と、出力部２９とにより構成される。
【００３１】
受付部２１は、プロセスカラーにより表現される画像データであるプロセス画像データと、プロセスカラーとは異なる色である特色により表現される画像データである特色画像データとにより構成されるカラー画像データを、端末装置１からネットワーク４を介して受け付ける。
【００３２】
中間データ生成部２２は、受付部２１により受け付けられたカラー画像データに基づいて、各画像データの色を示す色情報及び各画像データの形状により決定される領域を示す形状情報を含む中間データを生成する。
【００３３】
特色画像データ抽出部２３は、中間データ生成部により生成された中間データから、特色画像データを抽出する。
【００３４】
色情報変換部２４は、特色画像データ抽出部２３により抽出された特色画像データの色情報を、プロセスカラーにより表現される色情報に変換する。
【００３５】
また、色情報変換部２４は、特色画像データの色情報が、形状情報により示される領域において均一な色を示す場合には、当該特色画像データの色情報を、均一な色がプロセスカラーにより表現されるように変換する。また、特色画像データの色情報が、形状情報により示される領域において複数の色を示す場合には、当該特色画像データの色情報を、当該特色画像データの形状情報により示される領域内において１画素毎にプロセスカラーにより表現されるように変換する。形状情報により示される領域において複数の色を示す場合とは、例えば、画像データの領域内においてグラデーションを形成している場合である。
【００３６】
透過率情報付加部２５は、背面の画像データの色に対する色の割合を示す透過率情報を、色情報変換部２４により変換された特色画像データの色情報に対して付加する。なお、本実施形態において、透過率情報付加部２５により付加される透過率情報は、背面画像データの色に対する色の割合を設定することにより特色の光透過性が指定された情報を透過率情報として端末装置１から送信されるものとして説明するが、図示しないプリントサーバや画像処理装置２において透過率情報が設定されてもよい。なお、本実施形態においては、背面画像データにおける前面画像データの色に対する色の割合は常に一定の割合（２５５）であるものとして説明するが、端末装置１において背面画像データにおける前面画像データの色に対する色の割合を示す情報を指定して、この情報が透過率情報に含まれるようにしてもよい。
【００３７】
また、本実施形態においては、色情報変換部２４により変換されて透過率情報付加部２５により透過率情報が付加された特色画像データの色情報を変換済み色情報とする。
【００３８】
記憶部２６は、変換済み色情報を含む中間データを記憶する。
【００３９】
重なり判定部２７は、記憶部２６に記憶されている中間データにおいて、各画像データ毎に、背面に重なり合う他の画像データである背面画像データが存在するか否かを判定する。
【００４０】
描画処理部２８は、中間データ及び変換済み色情報に基づいて描画処理を行う。
【００４１】
具体的には、描画処理部２８は、重なり判定部２７により背面画像データが存在すると判定された画像データが特色画像データである場合には、この特色画像データの変換済み色情報と、背面画像データの色情報と、双方の形状情報とに基づいて、当該特色画像データの色と、背面画像データの色とを足し合わせるように描画処理を行う。また、描画処理部２８は、重なり判定部２７により背面画像データが存在しないと判定された画像データについては、各画像データそれぞれの色情報と形状情報とに基づいて描画処理を行う。
【００４２】
また、描画処理部２８は、重なり判定部２７により背面画像データが存在すると判定された画像データがプロセス画像データである場合、オーバープリントが指定されているか否かに応じて描画処理を行う。具体的には、オーバープリントが指定されていない場合には、描画処理部２８は、当該プロセス画像データと重なる背面画像データの領域を、プロセス画像データの色によって打ち消すように描画処理を行う。また、オーバープリントが指定されている場合には、描画処理部２８は、プロセス画像データの色情報と、背面画像データの色情報と、双方の形状情報とに基づいて描画処理を行う。
【００４３】
また、本実施形態においては、描画処理手段は、重なり判定部２７により背面画像データが存在する判定された画像データの描画処理を行う場合に、当該画像データと背面画像データとを含む領域に対して、１画素毎に描画処理を行う。
【００４４】
出力部２９は、描画処理部２８により描画処理が行われた画像を図示しない表示装置または用紙に対して出力する。
【００４５】
次に、本実施形態における色情報及び透過率情報の一例を図５を参照して説明する。
【００４６】
まず、図５（Ａ）は、プロセス画像データの色情報を示している。また、図５（Ｂ）は、色情報変換部２４によりプロセスカラーにより表現されるよう変換された特色画像データの色情報を示している。そして、図５（Ａ）、図５（Ｂ）に示すように、本実施形態における色情報は、シアン、マゼンタ、イエロー、ブラックの各色の濃度が０〜２５５の値の範囲で指定されており、各画像データの色を表すものである。
【００４７】
また、図５（Ｃ）は、透過率情報付加部２５により色情報変換部２４により変換された特色画像データに対して付加される透過率情報を示している。図５（Ｃ）に示すように、本実施形態における透過率情報は、端末装置１において、ユーザの操作等により「透明」、「半透明」、「不透明」が指定され、指定された項目毎にそれぞれ０、１２８、２５５の値が設定されている。そして、描画処理部２８は、特色画像データの色情報及び形状情報と、背面画像データの色情報及び形状情報と、透過率情報とに基づいて画像データが重なり合う領域の色を描画する。
【００４８】
なお、透過率情報において「透明」が指定された場合、この透過率情報が付加された特色画像データの色は表現されることなく、背面画像データと重なり合う領域において、背面画像データの色が描画される。つまり、透過率情報が「透明」である場合には、その特色画像データの背面画像データの色に対する色の割合が０割であることを示す。
【００４９】
また、透過率情報において「不透明」が指定された場合、この透過率情報が付加された特色画像データは、背面画像データの色を打ち消すように描画される。つまり、つまり、透過率情報が「不透明」である場合には、その特色画像データの背面画像データの色に対する色の割合が１０割であることを示す。
【００５０】
また、透過率情報において「半透明」が指定された場合、この透過率情報が付加された特色画像データと、背面画像データとが重なり合う領域において、特色画像データの色と背面画像データの色とを足し合わせた色が描画される。つまり、透過率情報が「半透明」である場合には、その特色画像データの色の割合と背面画像データの色の割合が半々であることを示す。
【００５１】
次に、本実施形態における画像形成システムの全体的な処理を図６に示すフローチャートを参照して説明する。
【００５２】
まず、端末装置１において、画像形成装置３でオーバープリントを行う対象となるカラー画像データを作成する（ステップＳ１０１）。
【００５３】
次に、端末装置１は、ユーザの操作等により、作成されたカラー画像データに含まれる特色画像データの透過率情報を指定する（ステップＳ１０２）。
【００５４】
そして、端末装置１は、カラー画像データとともに指定した透過率情報をネットワーク４を介して画像処理装置２に送信する（ステップＳ１０３）。
【００５５】
そして、画像処理装置２は、オーバープリント対象のカラー画像データをプロセスカラーでシミュレートする処理を行う（ステップＳ１０４）。
【００５６】
次に、ステップＳ１０４において、画像処理装置２におけるカラー画像データをプロセスカラーでシミュレートする処理を図７に示すフローチャートを参照して説明する。
【００５７】
まず、受付部２１は、端末装置１からネットワーク４を介して送信されたカラー画像データを受け付ける（ステップＳ２０１）。
【００５８】
次に、中間データ生成部２２は、受付部２１により受け付けられたカラー画像データに基づいて、各画像データの色を示す色情報を含む中間データを生成する（ステップＳ２０２）。
【００５９】
そして、特色画像データ抽出部２３は、中間データ生成部２２により生成された中間データから、特色画像データを抽出する（ステップＳ２０３）。
【００６０】
次に、色情報変換部２４は、特色画像データ抽出部２３により抽出された特色画像データの色情報が、形状情報により示される領域において均一な色を示すか否かを判定する（ステップＳ２０４）。
【００６１】
そして、特色画像データ抽出部２３により抽出された特色画像データの色情報が、形状情報により示される領域において均一な色を示す場合には（ステップＳ２０４においてｙｅｓ）、この均一な色１色のみプロセスカラーにより表現されるよう色情報を変換する（ステップＳ２０５）。
【００６２】
また、特色画像データ抽出部２３により抽出された特色画像データの色情報が、形状情報により示される領域においてグラデーション等複数の色を示す場合（ステップＳ２０４においてｎｏ）、当該特色画像データの色情報を、当該特色画像データの当該特色画像データの形状情報により示される領域内において１画素毎にプロセスカラーにより表現されるように変換する（ステップＳ２０６）。
【００６３】
そして、透過率情報付加部２５は、端末装置１により指定された透過率情報を、色情報変換部２４により変換された特色画像データの色情報に付加する（ステップＳ２０７）。
【００６４】
そして、記憶部２６は、中間データ生成部２２により生成された中間データとともに、色情報変換部２４によりプロセスカラーにより表現される色情報に変換されて透過率情報付加部２５により透過率情報が付加された特色画像データの色情報を変換済み色情報として記憶する（ステップＳ２０８）。
【００６５】
そして、画像処理装置２は、記憶部２６に記憶されている中間データ及び変換済み色情報に基づいて描画処理及び出力処理を行う（ステップＳ２０９）。
【００６６】
次に、ステップＳ２０９における画像処理装置２の描画処理及び出力処理について、図８を参照して詳細に説明する。
【００６７】
まず、重なり判定部２７は、記憶部２６に記憶されている中間データから、画像データを１つ選択する（ステップＳ３０１）。
【００６８】
次に、重なり判定部２７は、選択した画像データに背面画像データが存在するか否かを判定する（ステップＳ３０２）。ここで、重なり判定部２７により選択された画像データに背面画像データが存在しないと判定された場合は（ステップＳ３０２においてｎｏ）、描画処理部２８は、重なり判定部２７により選択された画像データの色情報及び形状情報に基づいて描画処理を行い、ステップＳ３０８に進む（ステップＳ３０３）。
【００６９】
また、重なり判定部２７により選択された画像データに背面画像データが存在すると判定された場合（ステップＳ３０２においてｙｅｓ）、描画処理部２８は、重なり判定部２７により選択された画像データと、背面画像データとを含む領域を指定する（ステップＳ３０４）。
【００７０】
次に、描画処理部２８は、重なり判定部２７により選択された画像データが特色画像データであるか否かを判定する（ステップＳ３０５）。
【００７１】
そして、重なり判定部２７により選択された画像データが特色画像データであると判定された場合（ステップＳ３０５においてｙｅｓ）、描画処理部２８は、特色画像データの変換済み色情報及び形状情報と、背面画像データの色情報及び形状情報とに基づいて、双方が重なり合う領域において特色画像データの色と当該特色画像データの背面画像データの色とを足し合わせるように、特色画像データと背面画像データとを含む領域に対して１画素毎に描画処理を行い、ステップＳ３０８に進む（ステップＳ３０６）。
【００７２】
また、重なり判定部２７により選択された画像データが特色画像データではないと判定された場合（ステップＳ３０５においてｎｏ）、描画処理部２８は、この画像データをプロセス画像データであると判定する。そして、描画処理部２８は、このプロセス画像データと背面画像データとが重なり合う領域において、オーバープリントが指定されているか否かに応じて、プロセス画像データと背面画像データとを含む領域に対して１画素毎に描画処理を行い、ステップＳ３０８に進む（ステップＳ３０７）。
【００７３】
そして、重なり判定部２７は、中間データにおいて、まだ選択されていない画像データが存在するか否かを判定する（ステップＳ３０８）。そして、中間データにおいて、まだ選択されていない画像データが存在する場合には（ステップＳ３０８においてｙｅｓ）、ステップＳ３０１から上記処理を繰り返す。
【００７４】
また、中間データにおいて、まだ選択されていない画像データが存在しない場合には（ステップＳ３０８においてｎｏ）、出力部２９は、描画された画像を図示しない表示装置や用紙等に出力する。
【００７５】
上記処理によって描画されるカラー画像データの具体的な一例を図９、図１０、図１１を参照して説明する。
【００７６】
まず、端末装置１において、図９に示すような、第１の特色画像、第２の特色画像、シアン画像、マゼンタ画像により構成されるカラー画像データが作成される。そして、第１の特色画像の透過率情報として半透明、第２の特色画像の透過率情報として不透明を指定する指示とともに、カラー画像データが画像処理装置２に送信される。
【００７７】
そして、受付部２１は、端末装置１により送信されたカラー画像データと透過率情報を指定する指示を受け付ける。次に、中間データ生成部２２は、受け付けたカラー画像データに基づいて各画像データの色情報及び形状情報を含む中間データを生成する。そして、特色画像データ抽出部２３は、生成された中間データから第１の特色画像及び第２の特色画像を抽出する。
【００７８】
そして、色情報変換部２４は、抽出された第１の特色画像の色情報及び第２の特色画像の色情報を、図１０に示すように、プロセスカラーにより表現される色情報に変換する。
【００７９】
具体的には、色情報変換部２４は、第１の特色画像の色情報により示される特色を、シアン９０、マゼンタ１１４、イエロー１４０、ブラック６３で表現されるよう色情報を変換する。また、第２の特色画像の色情報により示される特色を、シアン６０、マゼンタ１６０、イエロー７０、ブラック５０で表現されるよう色情報を変換する。
【００８０】
そして、透過率情報付加部２５は、図１０に示すように、第１の特色画像に対して「半透明」の透過率情報、第２の特色画像に対して「不透明」の透過率情報を付加する。
【００８１】
そして、記憶部２６により、カラー画像データの色情報、透過率情報及び形状情報を含む中間データが記憶される。
【００８２】
次に、重なり判定部２７は、記憶部２６に記憶されている中間データを参照して、第１の特色画像５０の背面にシアン画像５２が存在すると判定し、第２の特色画像５１の背面にマゼンタ画像５３が存在すると判定する。
【００８３】
そして、描画処理部２８は、まず、第１の特色画像５０とシアン画像５２とが含まれる領域について、１画素毎に描画処理を行う。そして、第１の特色画像５０とシアン画像５２とが重なり合う領域は、第１の特色画像５０の透過率情報が半透明であるため、両方の画像の色が足し合わされるように描画される。具体的には、図１１に示すように、第１の特色画像５０の色であるシアン９０、マゼンタ１１４、イエロー１４０、ブラック６３に対して、シアン２５５、マゼンタ０、イエロー０、ブラック０が足し合わされることにより、第１の特色画像５０とシアン画像５２とが重なり合う領域の色は、シアン２５５、マゼンタ１１４、イエロー１４０、ブラック６３となる。なお、各色の上限値は２５５として、この上限値を超える場合は切り捨てるものとする。
【００８４】
次に、描画処理部２８は、第２の特色画像５１とマゼンタ画像５３とが含まれる領域について、１画素毎に描画処理を行う。そして、第２の特色画像５１とマゼンタ画像５３とが重なり合う領域は、第２の特色画像５１の透過率情報が不透明であるため、第２の特色画像５１の色によりマゼンタ画像５３の色が打ち消されるように描画される。具体的には、図１１に示すように、第２の特色画像５１とマゼンタ画像５３とが重なり合う領域には、第２の特色画像５１の色情報により示されるシアン６０、マゼンタ１６０、イエロー７０、ブラック５０が描画される。
【００８５】
そして、出力部２９は、上記のようにして描画された画像を図示しない表示装置や用紙等に出力する。
【００８６】
なお、本実施形態においては、上記の処理を画像処理装置２において行うものとして説明したが、画像処理装置２が内部に設置された画像形成装置により上記の処理を行うようにしてもよい。
【００８７】
また、本実施形態においては、端末装置１において透過率情報を指定するものとして説明したが、各特色に設定された透過率情報を予め保持しておくサーバを新たに追加し、画像処理装置２がサーバを参照して特色画像データの色情報に透過率情報を付加するようにしてもよい。
【符号の説明】
【００８８】
１    端末装置
２    画像処理装置
３    画像形成装置
４    ネットワーク
１１    ＣＰＵ
１２    メモリ
１３    記憶装置
１４    通信ＩＦ
１５    ＵＩ装置
１６    制御バス
２１    受付部
２２    中間データ生成部
２３    特色画像データ抽出部
２４    色情報変換部
２５    透過率情報付加部
２６    記憶部
２７    重なり判定部
２８    描画処理部
２９    出力部
５０    第１の特色画像
５１    第２の特色画像
５２    シアン画像
５３    マゼンタ画像
１０１    背面画像
１０２    前面画像
【図１】
2015026933.tif 000003
【図２】
2015026933.tif 000004
【図３】
2015026933.tif 000005
【図４】
2015026933.tif 000006
【図５】
2015026933.tif 000007
【図６】
2015026933.tif 000008
【図７】
2015026933.tif 000009
【図８】
2015026933.tif 000010
【図９】
2015026933.tif 000011
【図１０】
2015026933.tif 000012
【図１１】
2015026933.tif 000013